(57)【要約】【課題】覗き見防止機能と薄型化とを両立した電気光学装置を提供すること。【解決手段】電気光学装置における遮光バリア２０の開口部が画素と重なる位置に配置されるとともに、画素行の延在方向において、遮光部と開口部とが交互に配置されている。つまり、表示領域に正対する方向から観察した場合には、画素行において１つ置きの画素が観察される状態となっている。よって、正対方向からは、表示を観察することができる。他方、表示領域を斜め（横側）から観察する場合には、遮光部によってその視線が遮られることになり、特に、開口部と対応する画素が見え難くなるため、覗き見を防止することが可能となる。さらに、遮光バリア２０として、遮光板（シート）にプレス加工や、印刷によって開口部を形成した薄板部材を使用することができるため、薄く、かつ、シンプルに構成することができる。【選択図】図２
2010169911.tif 000002
【特許請求の範囲】
【請求項１】
行列をなした複数の画素からなる表示領域を有する表示パネルと、
前記表示領域に重ねて配置された遮光バリアと、を備え、
前記遮光バリアには、光を透過する開口部と、光を遮断する遮光部とが形成され、
前記開口部は、前記画素に対応して設けられ、当該画素と重なる位置に配置されており、
前記行列における画素行の延在方向において、前記遮光部と前記開口部とが交互に配置されていることを特徴とする電気光学装置。
【請求項２】
前記画素行の延在方向において、連続する３つの異なる色の前記画素によって１つのカラー画素が形成されるとともに、前記カラー画素が連続して配置されていることを特徴とする請求項１に記載の電気光学装置。
【請求項３】
前記行列における画素列の延在方向において、
前記画素列を構成する複数の前記画素の色が同一になるように配置され、
前記遮光バリアの前記開口部と前記遮光部とが交互に配置されていることを特徴とする請求項２に記載の電気光学装置。
【請求項４】
前記行列における画素列の延在方向において、
前記画素列を構成する複数の前記画素の色が前記３つの異なる色に周期的に変化するよう配置され、
前記遮光バリアの前記開口部が連続して配置されていることを特徴とする請求項２に記載の電気光学装置。
【請求項５】
前記遮光バリアは、前記遮光部となる遮光板に、複数の前記開口部を形成してなり、
前記開口部のサイズは、前記画素サイズよりも一回り小さいことを特徴とする請求項１〜４のいずれか一項に記載の電気光学装置。
【請求項６】
前記表示パネルは、前記表示領域を含む対向基板と、素子基板との間に電気光学層としての液晶層を挟持してなり、
前記液晶層と前記対向基板との間には、前記画素ごとの色を定めるカラーフィルターと、複数の前記開口部が形成された遮光板からなる前記遮光バリアとが、この順番で積層されていることを特徴とする請求項２〜５のいずれか一項に記載の電気光学装置。
【請求項７】
前記表示領域において、前記開口部と重なる位置に配置された所定の前記画素には、第１画像における前記所定の画素に対応した部分の画像が表示され、
前記遮光部と重なる位置に配置されたその他の前記画素には、前記第１画像とは異なる第２画像における前記その他の画素に対応した部分の画像が表示されることを特徴とする請求項１〜６のいずれか一項に記載の電気光学装置。
【請求項８】
前記表示領域を構成する全ての画素において、第１画像を形成する画像が表示されることを特徴とする請求項１〜６のいずれか一項に記載の電気光学装置。
【請求項９】
前記表示領域において、前記開口部と重なる位置に配置された所定の前記画素には、第１画像における前記所定の画素に対応した部分の画像が表示され、
前記遮光部と重なる位置に配置されたその他の前記画素には、対となる前記開口部と重なる位置に配置された前記所定の画素に表示される画像と同じ画像が表示されることを特徴とする請求項１〜６のいずれか一項に記載の電気光学装置。
【請求項１０】
請求項１〜９のいずれか一項に記載の電気光学装置を備えたことを特徴とする電子機器。
【請求項１１】
請求項１〜６のいずれか一項に記載の電気光学装置と、
複数の操作を受け付ける操作部と、を少なくとも備え、
前記操作部が所定の操作を受け付けた場合において、
前記開口部と重なる位置に配置された所定の前記画素には、第１画像における前記所定の画素に対応した部分の画像が表示され、
前記遮光部と重なる位置に配置されたその他の前記画素には、第１画像とは異なる第２画像における前記その他の画素に対応した部分の画像が表示されることを特徴とする電子機器。
【請求項１２】
行列をなした複数の画素からなる表示領域を有する表示パネルと、
前記表示領域に重ねて配置されたレンズシートと、を備え、
前記行列における画素行の延在方向において、前記レンズシートには、凸レンズ面が周期的に配列された複数のシリンドリカルレンズが形成され、
１つの前記シリンドリカルレンズは、連続する３つの前記画素を跨ぐとともに、前記３つの画素における中央の画素に前記凸レンズ面の略中心が位置するように配置されていることを特徴とする電気光学装置。
【発明の詳細な説明】
【技術分野】
【０００１】
本発明は、電気光学装置、および当該電気光学装置を備えた電子機器に関する。
【背景技術】
【０００２】
インターネット環境が整備され、また、当該環境へアクセス可能なパーソナルコンピューター（ＰＣ）や、携帯電話が増えるに従い、例えば、携帯電話番号や、住所などの個人情報を表示しているときに、第３者にその個人情報を見られてしまう恐れが高まっている。これは、例えば、ノートＰＣや、ＰＤＡ（Personal Digital Assistant）、および携帯電話などのように、例えば、電車内などの外部でも使用することが可能な携帯型機器の場合、よりその懸念が高まることになる。
また、個人情報に限らず、メールや写真など、他人に見られたくない情報を表示することも多くなっており、プライバシーを保護することができる電気光学装置を備えた電子機器が求められていた。
【０００３】
図１１は、従来の電気光学装置の原理を示す断面図である。
特許文献１には、このような要求に応じて、覗き見を防止するための構成を備えた電気光学装置が提案されている。
従来の電気光学装置３００は、表示を行う表示パネル３１０と、当該表示パネルの前面に配置された遮光パネル３２０とを備えていた。また、当該２枚のパネルは、共に液晶パネルから構成されていた。
遮光パネル３２０は、表示パネル３１０の画素に対応した複数の遮光部が形成されており、当該遮光部は、透過（オフ）と、遮光（オン）とが切換え可能に設けられていた。例えば、図１１の遮光パネル３２０では、一つ置きの遮光部がオンした状態（ハッチングで示した部分）となっている。
この場合、電気光学装置３００に正対する視線αからは、１つ置きにオフした状態の遮光部（白抜き部）から、表示パネル３１０の表示を観察することができる。
他方、電気光学装置３００を右側から斜めに観察する視線βでは、実線で示すように、その視線がオンした状態の遮光部によって遮られるため、表示を見ることができなくなっている。換言すれば、視線βからの覗き見を防止していた。
【０００４】
【特許文献１】特開２００５−１０７３０６号公報
【発明の開示】
【発明が解決しようとする課題】
【０００５】
しかしながら、前述した従来の電気光学装置では、表示パネル３１０の前面に遮光パネル３２０を配置する構成、換言すれば、２枚の液晶パネルを重ねる構成であるため、構成が厚くなってしまう。つまり、覗き見防止機能と薄型化との両立は、困難であるという課題があった。
また、表示パネル３１０を表示駆動するためにはドライバーを含む専用の液晶パネル駆動部３１１が必要であり、また、遮光パネル３２０をオンオフ駆動するのにも専用の遮光パネル駆動部３２１が必要となるため、シンプルな構成とすることが困難であるという課題もあった。また、２つの駆動部が必要となるため、低消費電力化も困難であるという課題もあった。
さらに、オンした状態の遮光部を通して表示パネル３１０の表示を観察する構成、換言すれば、１枚の液晶パネルを介した状態で表示を観察する構成であるため、透過率が下がってしまい、明るい表示を得ることが困難であるという課題もあった。
【課題を解決するための手段】
【０００６】
本発明は、上記課題の少なくとも一部を解決するためになされたものであり、以下の適用例又は形態として実現することが可能である。
【０００７】
（適用例）
行列をなした複数の画素からなる表示領域を有する表示パネルと、表示領域に重ねて配置された遮光バリアと、を備え、遮光バリアには、光を透過する開口部と、光を遮断する遮光部とが形成され、開口部は、画素に対応して設けられ、当該画素と重なる位置に配置されており、行列における画素行の延在方向において、遮光部と開口部とが交互に配置されていることを特徴とする電気光学装置。
【０００８】
この構成によれば、画素行の延在方向において、遮光部と開口部とが交互に配置されるとともに、開口部は画素と重なる位置に配置されている。
つまり、表示領域に正対する方向から観察した場合には、画素行において１つ置きの画素が観察される状態となっている。よって、正対方向からは、表示を観察することができる。他方、例えば、図１１の視線βのように、表示領域を斜め（横側）から観察する場合には、遮光部によってその視線が遮られることになり、特に、開口部と対応する画素が見え難くなるため、覗き見を防止することが可能となる。
さらに、遮光バリアは、例えば、黒色の樹脂板（遮光部）に、プレス加工によって開口部となる穴を開けた物を使用することができるため、薄く構成することができる。
従って、覗き見防止機能と薄型化とを両立した電気光学装置を提供することができる。
また、液晶パネルからなる遮光パネルが必要であった従来の電気光学装置と異なり、本願の遮光バリアは、開口部が形成された遮光板（シート）を用いることができるため、従来の電気光学装置よりも、構成をシンプルにすることができ、また、低消費電力で、明るい表示を得ることができる。
【０００９】
また、画素行の延在方向において、連続する３つの異なる色の画素によって１つのカラー画素が形成されるとともに、カラー画素が連続して配置されていることが好ましい。
また、行列における画素列の延在方向において、画素列を構成する複数の画素の色が同一になるように配置され、遮光バリアの開口部と遮光部とが交互に配置されていることが好ましい。
また、行列における画素列の延在方向において、画素列を構成する複数の画素の色が３つの異なる色に周期的に変化するよう配置され、遮光バリアの開口部が連続して配置されていることが好ましい。
また、遮光バリアは、遮光部となる遮光板に、複数の開口部を形成してなり、開口部のサイズは、画素サイズよりも一回り小さいことが好ましい。
【００１０】
また、表示パネルは、表示領域を含む対向基板と、素子基板との間に電気光学層としての液晶層を挟持してなり、液晶層と対向基板との間には、画素ごとの色を定めるカラーフィルターと、複数の開口部が形成された遮光板からなる遮光バリアとが、この順番で積層されていることが好ましい。
また、表示領域において、開口部と重なる位置に配置された所定の画素には、第１画像における所定の画素に対応した部分の画像が表示され、遮光部と重なる位置に配置されたその他の画素には、第１画像とは異なる第２画像におけるその他の画素に対応した部分の画像が表示されることが好ましい。
また、表示領域を構成する全ての画素において、第１画像を形成する画像が表示されることが好ましい。
また、表示領域において、開口部と重なる位置に配置された所定の画素には、第１画像における所定の画素に対応した部分の画像が表示され、遮光部と重なる位置に配置されたその他の画素には、対となる開口部と重なる位置に配置された所定の画素に表示される画像と同じ画像が表示されることが好ましい。
【００１１】
上記記載の電気光学装置を備えたことを特徴とする電子機器。
上記記載の電気光学装置と、複数の操作を受け付ける操作部と、を少なくとも備え、操作部が所定の操作を受け付けた場合において、開口部と重なる位置に配置された所定の画素には、第１画像における所定の画素に対応した部分の画像が表示され、遮光部と重なる位置に配置されたその他の画素には、第１画像とは異なる第２画像におけるその他の画素に対応した部分の画像が表示されることを特徴とする電子機器。
【００１２】
また、行列をなした複数の画素からなる表示領域を有する表示パネルと、表示領域に重ねて配置されたレンズシートと、を備え、行列における画素行の延在方向において、レンズシートには、凸レンズ面が周期的に配列された複数のシリンドリカルレンズが形成され、１つのシリンドリカルレンズは、連続する３つの画素を跨ぐとともに、３つの画素における中央の画素に凸レンズ面の略中心が位置するように配置されていることを特徴とする電気光学装置。
【発明を実施するための最良の形態】
【００１３】
以下、本発明の実施形態について、図面を参照して説明する。なお、以下の各図においては、各層や各部材を図面上で認識可能な程度の大きさとするため、各層や各部材毎に縮尺を異ならしめてある。
【００１４】
（実施形態１）
「表示装置の概要」
図１は、本実施形態に係る表示装置の概要を示す斜視図である。
まず、本発明の実施形態１に係る電気光学装置としての表示装置１００の概要について、説明する。
【００１５】
表示装置１００は、表示パネル１０、遮光バリア２０、バックライト３０などから構成されている。
表示パネル１０は、素子基板１と対向基板８との間に液晶層を挟持した透過型のアクティブマトリックス方式の液晶パネルである。対向基板８の表面には、行列をなした複数の画素Ｐからなる表示領域１８が形成されている。
なお、画素Ｐは、実際には２枚の基板間に形成されているが、対向基板８を表示面として観察する構成であり、説明を容易にするために、対向基板８の表面に表示領域１８が形成されているものとして説明する。
また、表示パネル１０には、素子基板１の一辺が対向基板８から張出した張出し領域１４が形成されており、当該領域には、外部機器との接続端子や、後述する駆動回路の一部が実装されている。
【００１６】
遮光バリア２０は、表示パネル１０の前面に重ねて配置されている。詳しくは、表示領域１８に重なるように配置されている。なお、図１では、構成を解り易くするために、表示パネル１０と遮光バリア２０との間を離して描いているが、実際は密着、または近接して構成されている。また、表示パネル１０とバックライト３０との間も同様である。
遮光バリア２０は、例えば、黒色の樹脂板に（遮光部）に、プレス加工によって開口部Ｋとなる穴を開けた薄板であり、その外周形状は、表示領域１８を覆っている。また、詳細は後述するが、開口部Ｋの位置は表示領域１８の画素Ｐの位置と対応している。
バックライト３０は、表示パネル１０の背面側に配置され、その一端面には、冷陰極間や、ＬＥＤ（Light Emitting Diode）などの光源（図示せず）配置されている。バックライト３０は、光源が発する光を表示パネル１０と向かい合う面から出射し、表示パネル１０を背面から照明する。
【００１７】
図２は、遮光バリアの平面位置の説明図である。
図２の下側には表示パネル１０の表示領域１８の拡大図が示されており、上側には遮光バリア２０の拡大図が示されている。
まず、表示パネル１０の表示領域１８における画素配置について説明する。
表示領域１８を構成する各画素Ｐは長方形をなし、その幅（短辺）は高さ（長辺）の約１／３に設定されている。ここで、画素行とは短辺方向に配列した画素配列を指し、また、画素列とは長辺方向に配列した画素配列のことを指している。
例えば、表示領域１８の最上段には、画素Ｐ11，Ｐ12，Ｐ13，Ｐ14…からなる画素行Ｐ11が延在している。また、画素行Ｐ11の一段下には、画素Ｐ21，Ｐ22，Ｐ23，Ｐ24…からなる画素行Ｐ21が形成されている。同様に、画素行Ｐ21の一段下には、画素行Ｐ31が形成され、その下側にも複数の同様な画素行が形成されている。
また、画素行と交差（略直交）する方向には、例えば、画素Ｐ11，Ｐ21，Ｐ31…からなる画素列Ｐ11が延在している。また、画素列Ｐ11の隣には、画素Ｐ12，Ｐ22，Ｐ32…からなる画素列Ｐ12が形成されている。
また、各画素は、隔壁（ブラックマトリックス）によって、格子状に区画されている。なお、図２においては、白抜きで示されているが、実際は黒色の遮光部材から形成されている。なお、図２を含む各図においては、画素行の延在方向をＸ軸とし、画素列の延在方向をＹ軸と定義している。また、Ｘ軸およびＹ軸を含む面からの垂線方向、換言すれば、表示装置１００の厚さ方向をＺ軸と定義している。
【００１８】
画素行Ｐ11において、画素Ｐ11は赤色の画素Ｒ、画素Ｐ12は緑色の画素Ｇ、画素Ｐ13は青色の画素Ｂというように、３つの画素ごとにＲＧＢの色画素が繰り返し配置されている。また、他の画素行においても同様である。
また、画素列方向においては、画素Ｐ11から始まる画素列Ｐ11は、全ての画素が赤色の画素Ｒとなる。同様に、画素列Ｐ12は緑色の画素Ｇ、画素列Ｐ13は青色の画素Ｂというように、画素列の色調は、画素行Ｐ11における画素の色調と同一となっている。
ここで、各画素Ｐの幅（Ｘ軸方向）は、高さ（Ｙ軸方向）の約１／３に設定されており、隣り合うＲＧＢ色の３つの画素により略正方形をなした１つのカラー画素が形成される。例えば、画素行Ｐ11においては、まず、画素Ｐ11〜Ｐ13から１つのカラー画素が形成される。同様に、画素Ｐ14〜Ｐ16からもカラー画素が形成され、以下同様に、複数のカラー画素が形成される。なお、画素の色調は、３つの異なる色調であれば良く、例えば、イエロー、シアン、マゼンタであっても良い。
また、カラー表示を行う表示パネル１０の画素単位はカラー画素が基準となるが、本実施形態においては、説明の都合上、画素Ｐを「画素」、隣り合う３つの色調の画素からなる構成をカラー画素と称して説明する。なお、画素のことを「サブ画素」、カラー画素のことを「画素」と言い換えても良い。
【００１９】
このような表示領域１８の上に、遮光バリア２０が重ねられている。
なお、例えば、画素Ｐ12と開口部Ｋ12というように、開口部の番号には、対応する画素の番号と同じ番号を附している。また、開口部のサイズは、画素のサイズよりも一回り小さいサイズとなっている。詳しくは、各画素を区画する隔壁の内周よりも一回り小さいサイズに設定されている。即ち、開口部は、画素の幅（短辺）に対応した幅（短辺）が、画素の幅（短辺）よりも狭く設定されており、画素の高さ（長辺）に対応した長さも画素の高さ（長辺）よりも短く設定されている。これは、表示光（可視光）の波の性質による回折現象を抑制するためである。
遮光バリア２０において、画素行Ｐ11と重なる部分には、画素Ｐ12，Ｐ14，Ｐ16，Ｐ18…に対応する開口部Ｋ12，Ｋ14，Ｋ16，Ｋ18…が形成されている。換言すれば、画素行Ｐ11における偶数番目の画素に対応した部分に開口部が形成されている。ここで、対応するという意味は、例えば、開口部Ｋ12に示すように、当該開口部が画素Ｐ12の上に形成されていること、換言すれば、正対視したときに画素Ｐ12が見えるように、画素Ｐ12に重なる部分に形成されていることを指している。また、ハッチングで示した開口部Ｋが形成されていない部分が遮光部に相当する。
つまり、画素行Ｐ11の延在方向において、遮光部と開口部とが交互に配置されている。
【００２０】
また、遮光バリア２０の画素行Ｐ21と重なる部分では、画素Ｐ21，Ｐ23，Ｐ25…に対応する開口部Ｋ21，Ｋ23，Ｋ25…が形成されている。換言すれば、画素行Ｐ21における奇数番目の画素に対応した部分に開口部が形成されている。
そして、遮光バリア２０の画素行Ｐ31と重なる部分では、画素行Ｐ31における偶数番目の画素に対応した部分に開口部Ｋ32，Ｋ34，Ｋ36…が形成されている。
以下、同様に、奇数の画素行と重なる部分では、当該画素行の偶数番目の画素に対応した部分に開口部が形成される。また、偶数の画素行と重なる部分では、当該画素行の奇数番目の画素に対応した部分に開口部が形成されている。
つまり、画素列の延在方向において、開口部と遮光部とが交互になるように配置されている。換言すれば、開口部が市松模様（チェック模様）状に配置されている。
【００２１】
また、画素行Ｐ11では、開口部Ｋ12，Ｋ14，Ｋ16がそれぞれＧＲＢの色画素となっている。そして、画素行Ｐ11と画素行Ｐ21とを跨いで、開口部Ｋ12，Ｋ21，Ｋ23がそれぞれＧＲＢの色画素となっており、カラー画素が形成されている。
なお、図２の開口部レイアウトに限定するものではなく、市松模様となるレイアウトであれば良く、例えば、奇数の画素行と重なる部分では当該画素行の奇数番目の画素に対応した部分に開口部が形成され、偶数の画素行と重なる部分では当該画素行の偶数番目の画素に対応した部分に開口部が形成されるレイアウトであっても良い。
【００２２】
このように、各画素行において２画素ごとに１つの開口部が設けられており、この２つの対となる画素のセットのことを「画素対」と称する。
図２の場合、例えば、画素行Ｐ11においては、画素Ｐ11，Ｐ12で一つの画素対、画素Ｐ13，Ｐ14で一つの画素対、以下同様に、連続する２つの画素ごとに一つの画素対が形成されることになる。また、画素行Ｐ21においては、画素Ｐ21，Ｐ22で一つの画素対、画素Ｐ23，Ｐ24で一つの画素対、以下同様に、連続する２つの画素ごとに一つの画素対が形成される。他の画素行においても同様である。
【００２３】
「狭視角モード」
図３は、表示装置における狭視角モードの説明図であり、図１１に対応している。図４（ａ）は、狭視角モードの原理説明図である。
ここでは、上述の構成を備えた表示装置１００による狭視角モードの概要について説明する。
表示装置１００は、前述したように、表示パネル１０の前面に遮光バリア２０を備えるという構成に加えて、当該表示パネルに供給する画像信号を切換えることにより、狭視角の表示モードと、広視角の表示モードとを選択することができる。
また、狭視角モードは、いわゆる覗き見防止機能に相当し、視認可能な範囲と、視認不能な範囲とに指向性を持たせるものである。
【００２４】
図３において、表示装置１００に正対する視線αからは、遮光バリア（図２）の複数の開口部から出射された表示光によって表される女性の画像Ｖ１が観察される。なお、図３の視線α，βは、図１１における当該視線と同じ視線である。なお、視線とは、視軸、または、視軸の方向のことを指している。
ここで、表示装置１００を右側から斜めに観察する視線βからは、画像Ｖ１とは異なる全面グレーの画像Ｖ２が観察されることになる。つまり、狭視角モードとなって、覗き見防止機能が働いている状態となっている。
これは、遮光バリアが設けられていることに加えて、表示パネル１０（図２）に対して画像Ｖ１と画像Ｖ２とを混合した狭視角モード用の画像信号が供給されているからである。詳しくは、図２において、画像Ｖ１における開口部と重なる位置の画素（所定の画素）に供給される画像データと、画像Ｖ２における遮光部と重なる画素（その他の画素）に供給される画像データと、を合成した画像信号が供給されることになる。換言すれば、当該画像信号は、画像Ｖ１から開口部に相当する市松模様の部分を抜き出した画像データと、画像Ｖ２から当該市松模様を補間するその他の部分を抜き出した画像データとを合成したものである。
つまり、狭視角モード用の画像信号を合成するとともに、当該画像信号により表示パネル１０を表示駆動することにより、狭視角モードが実現される。詳しくは、所定の画素とその他の画素とから構成される１つの画素対において、前者には画像Ｖ１の画像データが供給され、後者には画像Ｖ２の画像データが供給されることになる。
【００２５】
図４（ａ）は、図３におけるｑ部の拡大断面図であり、上述した覗き見防止機能が働いている状態を模式的に示している。なお、当該機能が作用している状態のことを狭視角時ともいう。
図４（ａ）において、表示パネル１０には所定の画素行の一部が示されている。詳しくは、視線αの略正面に位置する画素Ｐnを中心として、その前後の数画素が示されている。また、開口部に対応する画素Ｐn-2，Ｐn，Ｐn+2には画像Ｖ１の画像データが供給され、遮光部に対応する画素Ｐn-1，Ｐn+1には画像Ｖ２の画像データが供給されている。また、画素間に形成されている黒い部分は、画素間を区分けする隔壁（ブラックマトリックス）を示している。
また、遮光バリア２０には、画素Ｐn-2，Ｐn，Ｐn+2に対応する開口部Ｋn-2，Ｋn，Ｋn+2が形成されている。
【００２６】
ここで、視線αから表示装置１００を観察した場合における画素行の延在方向（Ｘ軸方向）の視認範囲は、範囲Ｅｂとなり、この範囲内においては、一定の明るさ（輝度）の画像Ｖ１を見ることができる。この範囲Ｅｂは、画素Ｐn上の開口部Ｋnから観察したときに、当該画素の全体が見える範囲である。詳しくは、画素Ｐnの隣りの画素Ｐn-1における端部と開口部Ｋnの最寄りの端部とを結ぶ点線ｉ１と、画素Ｐn+1における端部と開口部Ｋnの最寄りの端部とを結ぶ点線ｉ２とで囲まれた範囲となる。
また、範囲Ｅｂの両隣（両側）は、画素Ｐnの全体は見えないものの、その一部が見える範囲Ｅｃとなる。範囲Ｅｃでは、範囲Ｅｂから遠ざかるにつれて画像Ｖ１の明るさが暗くなる。
本実施形態では、この範囲Ｅｂと当該範囲の両隣の範囲Ｅｃとを加えた画像Ｖ１の視認範囲を範囲Ｅという。
【００２７】
そして、画素Ｐnの端部と開口部Ｋnの遠い側の端部とを結ぶ２つの実線ｊ１，ｊ２で囲まれた範囲Ｅの両隣は、画像Ｖ１を見ることができない視認不能な範囲Ｄとなる。範囲Ｄは、開口部Ｋnから画素Ｐnの隣の画素の全体、またはその一部が見える範囲である。
詳しくは、Ｘ軸（−）側では、画素Ｐn+1の端部と開口部Ｋnの端部とを結ぶ点線ｉ４と、範囲Ｅの境界を示す実線ｊ２との２つの線分で囲まれた領域となる。同様に、Ｘ軸（＋）側では、画素Ｐn-1の端部と開口部Ｋnの端部とを結ぶ点線ｉ３と、範囲Ｅの境界を示す実線ｊ１との２本の線分で囲まれた領域となる。
範囲Ｄでは、画素Ｐn-1、または画素Ｐn+1に表示されている画像Ｖ２が視認されることになり、視線βもこの範囲内にあるため、図３で説明したように、グレーの画像Ｖ２を見ることになる。
【００２８】
なお、画像Ｖ２は、グレー画像に限定するものではなく、画像Ｖ１と異なる画像であれば良い。覗き見防止という意味合いからすると、第３者に見られても支障のない画像が好ましく、例えば、幾何学模様や、チェック模様などの模様が好適である。
また、無地色の白画像や、黒画像であっても良い。なお、発明者等の実験結果によれば、ある程度明るい画像の方が、画像Ｖ１が見易くなるという結果が出ているため、黒画像よりも、白画像の方が好ましい。
【００２９】
「第１の広視角モード」
図４（ｂ）は、広視角モードの原理説明図であり、（ａ）に対応している。
続いて、広視角モードの概要について説明する。
図３において、表示装置１００が広視角モードの場合、視線βにおいても、視線αと略同様な女性の画像Ｖ１が観察されることになる。
これは、表示パネル１０（図２）に対して画像Ｖ１のみを形成するための広視角モード用の画像信号が供給されているからである。
詳しくは、当該画像信号は、開口部（遮光部）の位置に拘らず画像Ｖ１を形成する全ての画像データからなる画像信号である。換言すれば、遮光バリアを持たない通常の表示パネルに画像Ｖ１を表示するための画像信号である。
つまり、画素Ｐn-2，Ｐn-1，Ｐn，Ｐn+1，Ｐn+2には、画像Ｖ１を形成する連続した画像データが供給されている。
【００３０】
また、図４（ｂ）における画素配列や、開口部を含む遮光バリアの配置などの幾何学的な構成上の寸法関係は、図４（ａ）と同一であるため、開口部Ｋnから観察される視認範囲は図４（ａ）と同様となり、範囲Ｅにおいては、画素Ｐnの一部、または全体が観察されることになる。
ここで、例えば、画素Ｐn-1に供給されている画像データと、画素Ｐnに供給されている画像データとの違いを考えた場合、両者間にはあまり差がないものと考えられる。これは、当該２つの画像データは、１つの画像Ｖ１を形成する連続した画像データにおける極一部であるからである。換言すれば、画素対における２つの画素にそれぞれ異なる画像を表す画像データが供給されていた狭視角モード時よりも、画素対間でのデータ差は小さくなる。
このため、範囲Ｅの範囲Ｅｃにおいて、徐々に範囲Ｅｂから遠ざかる場合でも、画素Ｐnは徐々に見えなくなって来るが、反面、同様な画像データが供給されている画素Ｐn-1、または画素Ｐn+1が見えてくるため、画像Ｖ１は略均一な明るさで観察される。
さらに、狭視角モードにおいては視認不能な範囲Ｄとなっていた範囲Ｅの両隣のエリアにおいても、画像Ｖ１を表す画像データが供給されている画素Ｐn-1、または画素Ｐn+1が観察されることになるため、この領域も画像Ｖ１を視認可能な範囲Ｅｆとなる。
【００３１】
なお、広視角モードであっても、遮光バリアを備えた構成であるため、範囲Ｅｆを超えた範囲から画像Ｖ１を観察することは困難である。
詳しくは、点線ｉ４よりＸ軸（−）側の範囲からはＰn，Ｐn+1を視認することが困難であり、また、点線ｉ３よりＸ軸（＋）側の範囲からはＰn，Ｐn-1を視認することが困難である。
つまり、広視角モードであっても、遮光バリアを備えていない表示パネルよりも狭視角となっており、覗き見がし難くなっている。
【００３２】
「第２の広視角モード」
広視角モードを実現するための画像信号には、もう一つある。
この画像信号は、画素対を構成する２つの画素に同じ画像データを供給するものである。詳しくは、当該画像信号は、画像Ｖ１から開口部に相当する市松模様の部分を抜き出した画像データと、当該開口部ごとに対となる画素に開口部と同じ画像データを入れた画像データとを合成したものである。
つまり、所定の画素とその他の画素とから構成される１つの画素対において、前者には画像Ｖ１の画像データが供給され、後者にも所定の画素と同じ画像データが供給されることになる。
この広視角モード用の画像信号を供給した場合における画像Ｖ１の視認範囲も、第２の広視角モードと略同様な範囲Ｅ、および範囲Ｅｆとなる。
【００３３】
「表示装置の具体的な構成」
図５は、表示装置の側断面図であり、詳しくは、Ｘ軸（＋）方向からの側断面図である。ここでは、上述したような機能を実現するための表示装置１００の具体的な構成について説明する。
【００３４】
表示パネル１０は、素子基板１、シール材３、液晶層４、対向基板８などから構成されている。素子基板１と対向基板８とは、周縁部に配置されたシール材３によって間隙を持って向い合って配置されている。また、当該間隙には、液晶が封入された液晶層４が形成されている。
素子基板１の液晶層４側には、複数の画素ごとに後述するスイッチング素子などを含む画素回路が形成されている。また、素子基板１のバックライト３０側には、偏光板２が貼り付けられている。
対向基板８の液晶層４側には、各画素の色調を決定するカラーフィルター５が形成されている。平面視におけるカラーフィルター５には、図２に示すように、ＲＧＢ各色のカラーフィルターが規則的に配置されている。また、対向基板８の遮光バリア２０側には、偏光板９が貼り付けられている。
また、カラーフィルター５の液晶層４側には、略表示領域に渡って対向電極が形成されており、当該対向電極と、素子基板１側の画素ごとに形成された画素電極との間に、液晶層４が挟持されることになる。
【００３５】
また、吸収型偏光板からなる偏光板２，９は、偏光板２における光の透過軸の方向と、偏光板９における光の透過軸の方向とが、互いに直交する方向に設定されている。
なお、偏光板２と素子基板１との間や、偏光板９と対向基板８との間に、さらに光学補償フィルムを設けても良い。光学補償フィルムを設けることで、液晶層４を表示面の法線方向から見たときや、法線方向から傾斜した方向から見たときなどの液晶層４の位相差を補償することができる。これにより、光漏れを低減することができ、コントラストの向上が図られる。
また、表示パネル１０の張出し領域１４には、外部機器との接続端子や、後述する駆動回路の一部が実装されている。詳しくは、当該接続端子には、フレキシブル基板が接続され、当該基板には、後述する画像信号処理部などを構成するＩＣ（Integrated Circuit）を含む回路素子が実装されている。また、走査線、およびデータ線駆動回路などの液晶ドライバーが張出し領域１４に実装される場合もある。
【００３６】
バックライト３０は、導光板３１と、光源３２などから構成されている。
導光板３１は、透明な板状部材であり、アクリルや、ポリカーボネートなどの透明樹脂、またはガラスなどから構成されている。
光源３２には、例えば、ＬＥＤや冷陰極管などが採用され、図５において導光板３１の左側の一端面に対向して配置されている。なお、光源としては、導光板３１の一端面に沿って光を出射することができる構成であれば良く、例えば、無機または有機ＥＬ（Electro Luminescence）素子を光源として用いても良い。
光源３２から出射された光は、導光板３１の一端面から入射し、導光板３１の中で反射を繰り返しながら表示パネル１０に面した面（光出射面）から出射される。光出射面から出射された光は、表示パネル１０の各画素において画像データに応じて光変調された後、対向基板８から表示光として出射される。
【００３７】
遮光バリア２０は、黒色の樹脂板に開口部となる穴を開けたものに限定するものではなく、光を遮断する遮光部と、光を透過する開口部とが形成された板状物であれば良い。
例えば、ポリプロピレン、ポリエチレン、ポリエチレンテレフタレートなどの透明な樹脂板（フィルムでも良い）に、スクリーン印刷法、オフセット印刷法、グラビア印刷法などの印刷法により、図２の遮光部となる黒色インクなどの遮光物の印刷を施したものを用いても良い。
また、アルミニウム、ステンレス、銅、鉄、黄銅などの金属板に、開口部となる穴を開けたものを用いることもできる。また、金属板に限らず、金属箔であっても良く、例えば、対向基板８の偏光板９に、開口部が形成された金属箔を貼り付ける構成であっても良い。または、偏光板９の表示面側に金属箔を形成することであっても良い。
【００３８】
「回路ブロック構成」
図６は、表示装置の構成部位を示すブロック図である。
表示装置１００は、前述した表示パネル１０、遮光バリア２０、バックライト３０に加えて、これらの部位を制御するための画像信号処理部４０、制御部４５、ＢＬ駆動部４９などを備えている。なお、これらの制御部位は、張出し領域１４に接続されるフレキシブル基板などに実装されている。
【００３９】
画像信号処理部４０は、画像プロセッサーであり、外部の画像信号供給装置２９０から入力された画像データを表示パネル１０にて表示するのに適切な画像信号に変換する。画像信号処理部４０には、ＡＤコンバーター（図示せず）が内蔵されており、アナログＲＧＢ信号などのアナログ画像信号が入力された場合には、デジタル画像信号に変換する。
また、画像信号処理部４０には、フレームメモリー４１が附属している。フレームメモリーは、表示パネル１０の１画面（フレーム）分の画像データを記憶可能なメモリー容量（解像度）を備えたＶＲＡＭ（Video Random Access Memory）であり、３フレーム分（枚）以上の容量があることが好ましい。
また、画像信号処理部４０は、制御部４５からの制御信号に従い、フレームメモリー４１を活用して、狭視角モード用の画像信号や、広視角モード用の画像信号を生成する。また、データの補完、または間引き、切り出しなどを含むスケーリング処理を司り、表示パネル１０の解像度に合わせた画像データを後述する駆動回路（液晶ドライバー）に出力する。
例えば、狭視角モード用の画像信号を生成する場合、１枚目のフレームメモリーに画像信号Ｖ１の画像データを記憶させ、また、２枚目のフレームメモリーに画像信号Ｖ２の画像データを記憶させる。
そして、１枚目のフレームメモリーから開口部に相当する市松模様の部分の画像データを抜き出し３枚目のフレームメモリーの同じアドレスに書き込む。続いて、２枚目のフレームメモリーから当該市松模様を補間するその他の部分の画像データを抜き出し３枚目のメモリーの同じアドレスに書き込む。これにより、３枚目のフレームメモリーに狭視角モード用の画像信号（データ）が合成される。
【００４０】
制御部４５は、ＣＰＵ（Central Processing Unit）であり、各部の動作を制御する。また、制御部４５には、記憶部４６と、操作部４７とが附属している。
記憶部４６は、例えば、フラッシュメモリーなどの不揮発性のメモリーにより構成されている。記憶部４６には、操作部への覗き見防止機能を有効にする操作に基づき、表示パネル１０に供給する狭視角モード用の画像信号の生成を行うための順序と内容を規定したプログラムを含み、表示装置１００の動作を制御するための様々なプログラムおよび付随するデータが記憶されている。
操作部４７は、複数の操作ボタン（図示せず）を含んで構成されており、当該操作ボタンのいずれかに覗き見防止機能の有効／無効を切換えるための機能が割付けられている。なお、操作部４７は、例えば、ノートパソコンなどの表示装置１００が組み込まれた電子機器の操作部を用いることが多く、ノートパソコンの場合、そのキーボードの任意のキーに当該機能が割付けられる。この場合、制御部４５は、当該操作の入力を受付けるインターフェイス部のみを備えることになる。
ＢＬ駆動部４９は、バックライト３０の光源３２（図５）の点灯および消灯を制御する駆動回路であり、制御部４５からの制御信号に従って当該制御を行う。
【００４１】
「画素回路、および駆動回路」
図７は、画素回路、および駆動回路を示す回路図である。
ここでは、表示パネル１０の画素回路、および駆動回路（液晶ドライバー）の概要について説明する。
図２において表示領域１８にマトリックス状に配置された画素の各々には、図７の画素回路５０が形成されている。
画素回路５０は、画素を選択するためのＴＦＴ（Thin Film Transistor）からなるスイッチング用のトランジスターＴＲと、保持容量Ｃなどから構成されている。
トランジスターＴＲのゲート端子には、走査線駆動回路５５からの走査線ＳＬが接続されており、ソース端子には、データ線駆動回路５６からのデータ線ＤＬが接続されている。
トランジスターＴＲのドレイン端子には、保持容量Ｃの一端と、画素電極５１が接続されている。また、保持容量Ｃの他端は、アースラインに接続されている。
素子基板１側（図５）に形成された画素電極５１と、対向基板８側に形成された対向電極Ｃomとの間には、液晶層４が挟持されている。
【００４２】
走査線駆動回路５５、およびデータ線駆動回路５６には、画像信号処理部４０（図６）から画像信号に基づいたタイミング信号、および画像内容を規定したデータ信号が供給される。
走査線駆動回路５５は、シフトレジスタや出力バッファ（いずれも図示せず）を含んで構成され、タイミング信号に基づき、複数の走査線ＳＬに順次走査信号を供給する。
データ線駆動回路５６は、シフトレジスタやラッチ回路（いずれも図示せず）を含んで構成され、タイミング信号、およびデータ信号に基づき、複数のデータ線ＤＬにデータ信号を供給する。
走査信号によって選択されたトランジスターＴＲはオンし、データ信号に応じた電圧が画素電極５１に印加される。これにより、画素電極５１と対向電極Ｃomとの間に電位差が生じ、当該電位差に応じて液晶層４の透過率が変化することになる。また、トランジスターＴＲがオンするのと並行して、保持容量Ｃにデータ信号（電位）が保持されるため、容量に応じた時間、表示が維持される。
【００４３】
上述した通り、本実施形態に係る表示装置１００によれば、以下の効果を得ることができる。
表示装置１００によれば、遮光バリア２０の開口部が画素と重なる位置に配置されるとともに、画素行の延在方向において、遮光部と開口部とが交互に配置されている。
つまり、表示領域に正対する方向から観察した場合には、画素行において１つ置きの画素が観察される状態となっている。よって、正対方向からは、表示を観察することができる。他方、表示領域を斜め（横側）から観察する場合には、遮光部によってその視線が遮られることになり、特に、開口部と対応する画素が見え難くなるため、覗き見を防止することが可能となる。さらに、遮光バリア２０として、遮光板（シート）にプレス加工や、印刷によって開口部を形成した薄板部材を使用することができるため、液晶パネルからなる遮光パネルが必要であった従来の電気光学装置よりも、薄く、かつ、シンプルに構成することができる。
従って、覗き見防止機能と薄型化とを両立した表示装置１００を提供することができる。また、駆動部は、表示パネル１０用の１つの駆動部で良いため、２つの駆動部が必要であった従来の電気光学装置よりも、消費電力を低減することができる。
また、遮光バリア２０として、遮光板（シート）にプレス加工や、印刷によって開口部を形成した薄板部材を使用することができるため、１枚の液晶パネルを介した状態で表示を観察する構成であった従来の電気光学装置よりも、明るい表示を得ることができる。
【００４４】
さらに、狭視角モード用の画像信号を合成するとともに、当該画像信号により表示パネル１０を表示駆動することにより、画像視認範囲を狭くすることができるため、より覗き見防止機能を高めることができる。
また、表示パネル１０に広視角モード用の画像信号を供給することにより、画像視認範囲を広くすることができる。
また、覗き見防止機能の有効（狭視角モード）／無効（広視角モード）は、操作部への操作、または、当該操作の受付けに基づいて、制御部４５が切換え制御を行う。
従って、覗き見防止機能の有効／無効を容易に切換えることが可能な使い勝手の良い表示装置１００を提供することができる。
また、狭視角モードとした場合であっても、図２に示すように、各画素行の延在方向に連続するカラー画素、および２つの画素行を跨いで三角形のカラー画素が形成されるため、フルカラーの画像Ｖ１を見ることができる。
【００４５】
（実施形態２）
図８は、実施形態２に係る遮光バリアの平面位置の説明図であり、図２に対応している。以下、本発明の実施形態２に係る表示装置について説明する。
実施形態２の表示装置は、表示パネルの画素レイアウト、および遮光バリアの開口部のレイアウトのみ、実施形態１の表示装置１００と異なる。
また、実施形態１の表示装置１００の構成と同一の構成部位については、同一の番号を附し、重複する説明は省略する。
【００４６】
本実施形態の表示パネル１１は、画素の色調の配列が画素行ごとに１画素分ずつシフトしていることが、実施形態１の表示パネル１０と異なる。
詳しくは、実施形態１の表示パネル１０では、画素列ごとの画素の色調は同一であったが、本実施形態の表示パネル１１（表示領域１９）では、同一となっていない。例えば、画素列Ｐ11では、上方（Ｙ軸（＋）側）からＲＢＧ…という並びになっている。つまり、画素列の延在方向において、３色が周期的に繰り返すように配置されている。
これは、Ｒで開始する画素行Ｐ11を基準として、画素の色調の配列が画素行ごとに１画素分ずつシフトしているからであり、例えば、画素行Ｐ21ではＢの開始となり、画素行Ｐ31ではＲの開始となる。また、以降の画素行においても開始色が、ＲＢＧの順番で繰り返すことになる。
また、この画素レイアウトの違い以外は、実施形態１の表示パネル１０と同じである。
【００４７】
このような表示領域１９の上に、遮光バリア２１が重ねられている。
本実施形態の遮光バリア２１は、開口部が画素列の延在方向（Ｙ軸方向）に連続していることが、実施形態１の遮光バリア２０と異なる。
詳しくは、実施形態１の遮光バリア２０では、開口部は市松模様をなしていたが、本実施形態の遮光バリア２１では、縦方向（Ｙ軸方向）のストライプとなっている。
つまり、遮光バリア２１の開口部は、画素行Ｐ11と重なる開口部Ｋ12，Ｋ14，Ｋ16，Ｋ18…を基準として、各画素行における開口部が画素列の延在方向に連続して形成されている。
また、画素行Ｐ11では、開口部Ｋ12，Ｋ14，Ｋ16がそれぞれＧＲＢの色画素となっている。そして、画素行Ｐ11と画素行Ｐ21とを跨いで、開口部Ｋ12，Ｋ14，Ｋ24がそれぞれＧＲＢの色画素となっており、カラー画素が形成されている。
【００４８】
上述した通り、本実施形態に係る表示装置によれば、実施形態１の効果に加えて、以下の効果を得ることができる。
このような、画素配置、および開口部配置であっても、図４（ａ），（ｂ）で説明した原理が成り立つため、実施形態１の表示装置１００と同様な作用、効果を得ることができる。また、狭視角モードとした場合であっても、図８に示すように、各画素行の延在方向に連続するカラー画素、および２つの画素行を跨いで三角形のカラー画素が形成されるため、フルカラーの画像Ｖ１を見ることができる。
【００４９】
（実施形態３）
図９（ａ）は、実施形態３に係る表示装置の側断面図であり、図５に対応している。図９（ｂ）は、（ａ）におけるｕ部の拡大図である。
以下、本発明の実施形態３に係る表示装置１２０について説明する。
実施形態３の表示装置１２０は、遮光バリアを表示パネル内に形成したことが、実施形態１の表示装置１００と異なる。
また、実施形態１の表示装置１００の構成と同一の構成部位については、同一の番号を附し、重複する説明は省略する。
【００５０】
本実施形態の表示装置１２０は、表示パネル１２、バックライト３０などから構成されている。表示パネル１２内には、遮光バリア２２が形成されている。
詳しくは、対向基板８の液晶層４側に遮光バリア２２が形成されている。図９（ｂ）において、対向基板８から、遮光バリア２２、樹脂層２８、カラーフィルター５、樹脂層２９、共通電極Ｃomの順番でＺ軸（＋）方向に向かって積層されている。
遮光バリア２２は、前述した樹脂フィルムや、金属箔膜などから形成されており、対向基板８に透明な接着剤で貼り付けられている。または、対向基板８にスパッタ法などにより、遮光部となる金属などの薄膜を蒸着することであっても良い。
樹脂層２８，２９は、アクリル樹脂などの透明樹脂からなる中間層であり、例えば、紫外線硬化タイプを用いると好適である。
上記以外の構成は、実施形態１の表示パネル１０と同様である。また、実施形態２の表示装置においても、同様に、遮光バリアを表示パネル内に形成することができる。
【００５１】
上述した通り、本実施形態に係る表示装置１２０によれば、実施形態１の効果に加えて、以下の効果を得ることができる。
表示装置１２０によれば、遮光バリア２２を表示パネル１２内に形成しているため、より薄型化を図ることができる。また、構成もよりシンプルにすることができる。
従って、覗き見防止機能に加えて、薄く、かつ、シンプルな構成の表示装置１２０を提供することができる。
【００５２】
（電子機器）
図１０は、上記表示装置を搭載した携帯電話を示す斜視図である。
表示装置１００は、例えば、電子機器としての携帯電話２００に搭載して用いることができる。
携帯電話２００は、本体部２５０と、当該本体部に対して開閉自在に設けられた表示部２７０とを備えるとともに、実施形態１に係る表示装置１００を内蔵している。詳しくは、表示装置１００は、表示部２７０に組み込まれており、遮光バリア２０を備えた表示パネル１０が表示画面となっている。
また、本体部２５０には、複数の操作ボタンを有する操作部２６５が設けられており、当該操作ボタンのうち、操作ボタン２６６には、覗き見防止機能の有効／無効の切換え機能が割付けられている。
従って、覗き見防止機能の有効／無効を容易に切換えることが可能な使い勝手の良い携帯電話２００を提供することができる。
【００５３】
また、携帯電話２００では、操作ボタン２６６の操作がなされなくても、表示画像のコンテンツに応じて、覗き見防止機能を有効にする機能が付加されている。この機能は、例えば、メールを表示しているときや、個人フォルダーの中の写真を表示しているときに機能し、覗き見防止機能を有効にする。
これは、記憶部４６（図６）に、当該機能の順序と内容を規定したプログラムが記憶されているからである。詳しくは、当該プログラムは、あらかじめ登録されたアプリケーションが実行された場合、または、あらかじめ登録されたフォルダー内のファイルが開かれた場合には、覗き見防止機能を有効にするというものである。
従って、覗き見防止機能の有効／無効を自動的に切換えることが可能な使い勝手の良い携帯電話２００を提供することができる。
なお、表示装置１００の代わりに、各実施形態に係る表示装置１２０などを用いても良く、この場合であっても、同様な作用効果を得ることができる。
【００５４】
また、携帯電話の態様は、図１０に示した折畳み式に限定するものではなく、表示パネルを備えた携帯電話であれば良い。
例えば、本体部２５０に対して表示部２７０が折畳み、および旋回可能に設けられた携帯電話であっても良い。または、一体型の携帯電話や、一体型の本体部に操作部が収納されているスライド式の携帯電話であっても良い。
また、電子機器としては、携帯電話に限定するものではなく、表示パネルを備えた電子機器であれば良い。
例えば、パーソナルコンピューターや、ノートパソコン、ＰＤＡ（Personal Digital Assistants）、モバイルコンピューター、デジタルカメラ、デジタルビデオカメラ、車載機器、オーディオ機器などの各種電子機器に用いることができる。
【００５５】
なお、本発明は上述した実施形態に限定されず、上述した実施形態に種々の変更や改良などを加えることが可能である。変形例を以下に述べる。
【００５６】
（変形例１）
図１２（ａ）は、変形例１に係る表示装置の狭視角モードの原理説明図であり、図４（ａ）に対応している。図１２（ｂ）は、広視角モードの原理説明図であり、図４（ｂ）に対応している。
実施形態１の表示装置１００は、遮光バリア（パララックスバリア）によって狭視角を実現していたが、レンズによっても同様の機能を実現することができる。
なお、上記各実施形態の表示装置の構成と同一の構成部位については、同一の番号を附し、重複する説明は省略する。
【００５７】
変形例１の表示装置１８０は、表示パネル１０、レンズシート６０などから構成されている。換言すれば、図１において、遮光バリア２０の代わりにレンズシート６０を備えた表示装置である。
１つの画素行の延在方向（Ｘ軸方向）において、レンズシート６０には、複数の凸レンズ面が周期的に配置されている。詳しくは、連続する３つの画素に跨って、１つの凸レンズ面が配置されている。
例えば、画素Ｐnに重なるレンズＬnは、３つの画素Ｐn-1，Ｐn，Ｐn+1に跨って配置されており、当該レンズの凸レンズ面の中心（最も高い部分）が、画素Ｐnの略中心に位置している。同様に、レンズＬn-2は、その凸レンズ面の中心が画素Ｐn-2の略中心になるように配置され、レンズＬn+2は、その凸レンズ面の中心が画素Ｐn+2の略中心になるように配置されている。
【００５８】
図１３は、レンズシートの平面位置の説明図である。
図１３に示すように、複数のレンズＬは、シリンドリカルレンズであり、その凸レンズ面が画素行の延在方向（Ｘ軸方向）において波状に連続するように配置されている。なお、平面図である図１３では、本来、凸レンズ面は観察されないが、解り易くするため、模式的に図示している。
また、複数のレンズＬは、図２の開口部Ｋと同様に、市松模様（チェック模様）状に配置されている。このため、画素行Ｐ11における各レンズＬの中心には、画素Ｐ12，Ｐ14，Ｐ16…が位置し、画素行Ｐ21における各レンズＬの中心には、画素Ｐ21，Ｐ23，Ｐ25…が位置することになる。換言すれば、奇数の画素行における各レンズの中心には、当該画素行の偶数番目の画素が位置し、偶数の画素行における各レンズの中心には、当該画素行の奇数番目の画素が位置することになる。なお、奇数と偶数の画素行が入れ替わった配置であっても良い。
また、レンズシート６０は、例えば、アクリル樹脂のような透明で屈折率の高い樹脂からなり、射出成型や、押し出し成型、または紫外線硬化法などの成型方法によって、レンズＬを含めて一体に形成されている。なお、材質はガラスであっても良い。
【００５９】
図１２（ａ）に戻る。
ここで、表示パネル１０に狭視角モード用の画像信号を供給すると、範囲Ｅにおいては画像Ｖ１が視認され、その両隣の範囲Ｄでは、画像Ｖ２が視認されることになる。
詳しくは、画像Ｖ１の画像データを表示している画素Ｐnから視線α方向に出射した表示光は、レンズＬnの凸レンズ面の界面で屈折され、実線ｊ５，ｊ６に示すように、拡大して出射される。このように、実線ｊ５，ｊ６で囲まれた範囲Ｅにおいては、画像Ｖ１が視認されることになる。
また、画像Ｖ２を表示している画素Ｐn-1から視線α方向に出射した表示光は、レンズＬnの凸レンズ面の界面で屈折され、点線ｉ６に示すように、実線ｊ６の外側（Ｘ軸（−）側）に進む。同様に、画素Ｐn+1から視線α方向に出射した表示光は、点線ｉ５に示すように、実線ｊ５の外側（Ｘ軸（＋）側）に進む。なお、実線ｊ５の外側の範囲には、視線βも含まれている。このように、実線ｊ５，ｊ６の外側の範囲Ｄにおいては、画像Ｖ２が視認されることになる。
なお、上記説明では、画素からの表示光が視線α側に向かって略平行な光束として出射することを前提として説明したが、実際は、拡大しているため、範囲Ｅ、および範囲Ｄの境は、図示よりも曖昧なものとなる。
【００６０】
図１２（ｂ）に示すように、表示パネル１０に広視角モード用の画像信号を供給すると、範囲Ｅに加えて、その両隣の範囲Ｅｆにおいても画像Ｖ１が視認されることになる。
これは、図４（ｂ）での説明と同様に、範囲Ｅｆにおいても画像Ｖ１を形成する連続する画像データが表示された隣の画素が観察されるからである。または、画素対における対となる画素の同じ画像データの表示が観察されるからである。
上述した通り、変形例１の表示装置１８０であっても、上記各実施形態と同様な作用効果を得ることができる。
【００６１】
（変形例２）
図１４は、変形例２に係るレンズシートの平面位置の説明図であり、図８,１３に対応している。
変形例２の表示装置は、表示パネルの画素レイアウト、およびレンズシートのレンズのレイアウトのみ、変形例１の表示装置１８０と異なる。
なお、上記各実施形態および変形例の表示装置の構成と同一の構成部位については、同一の番号を附し、重複する説明は省略する。
【００６２】
変形例２の表示装置の表示パネルは、実施形態２の表示パネル１１である。
この表示パネル１１の上に、レンズシート６１が重ねられている。
本変形例のレンズシート６１は、レンズが画素列の延在方向（Ｙ軸方向）に連続していることが、変形例１のレンズシート６０と異なる。
詳しくは、変形例１のレンズシート６０では、レンズが市松模様に配置されていたが、本変形例のレンズシート６１では、縦方向（Ｙ軸方向）のストライプ状となっている。
例えば、レンズＬ12は、そのシリンドリカルレンズの延在方向が、複数の画素行を跨いで画素列の延在方向に延在している。また、レンズＬ14，Ｌ16，Ｌ18…においても同様に、そのシリンドリカルレンズの延在方向が、複数の画素行を跨いで画素列の延在方向に延在している。
上記以外は、変形例１の表示装置１８０と同様である。
このような、変形例２の表示装置であっても、図１２（ａ），（ｂ）で説明した原理が成り立つため、実施形態１の表示装置１００と同様な作用、効果を得ることができる。
【００６３】
（変形例３）
上記各実施形態および変形例において、表示パネルは透過型の液晶パネルであるものとして説明したが、前述したような画素レイアウトの画素を備えた表示パネル（面表示装置）であれば良い。例えば、反射型や、半透過反射型の液晶パネルであっても良い。
また、有機（無機）ＥＬパネル、プラズマディスプレイ、ブラウン管、ＦＥＤ（Field Emission Display）、ＳＥＤ（Surface-conduction Electron-emitter Display）などの表示パネルであっても良い。
これらの構成であっても、実施形態２と同様な作用効果を得ることができる。
【００６４】
（変形例４）
上記各実施形態および変形例においては、短辺方向に配列した画素配列を画素行とし、長辺方向に配列した画素配列のことを画素列として説明したが、これに限定するものではない。画素行、および画素列の定義は、表示領域１８と遮光バリア２０との相対的な配置関係を規定するためのものであるから、当該相対関係が各実施形態および変形例の配置関係と同様であれば良く、例えば、短辺方向の画素配列を画素列とし、長辺方向の画素配列を画素行と定義しても良い。
また、画素Ｐの形状も長方形に限定するものではなく、縦横の長さが異なる画素であれば、例えば、楕円や、トラック形状などであっても良い。また、上記相対関係が各実施形態および変形例の配置関係と同様であれば、正方形、円などの縦横の長さが略同一となる形状や、三角形、台形であっても良く、これらを組み合せた形状であっても良い。
これらの構成であっても、各実施形態および変形例と同様な作用効果を得ることができる。
【図面の簡単な説明】
【００６５】
【図１】実施形態１に係る表示装置の概要を示す斜視図。
【図２】遮光バリアの平面位置の説明図。
【図３】表示装置における狭視角モードの説明図。
【図４】（ａ）狭視角モードの原理説明図、（ｂ）広視角モードの原理説明図。
【図５】表示装置の側断面図。
【図６】表示装置の構成部位を示すブロック図。
【図７】画素回路、および駆動回路を示す回路図。
【図８】実施形態２に係る遮光バリアの平面位置の説明図。
【図９】（ａ）実施形態３に係る表示装置の側断面図、（ｂ）ｕ部の拡大図。
【図１０】電子機器としての携帯電話を示す斜視図。
【図１１】従来の電気光学装置の原理を示す断面図。
【図１２】（ａ）変形例１に係る表示装置の狭視角モードの原理説明図、（ｂ）広視角モードの原理説明図。
【図１３】レンズシートの平面位置の説明図。
【図１４】変形例２に係るレンズシートの平面位置の説明図。
【符号の説明】
【００６６】
１０，１１…表示パネル、１８，１９…表示領域、２０,２１…遮光バリア、３０…バックライト、４７…操作部、６０，６１…レンズシート、１００,１２０,１８０…電気光学装置としての表示装置、２００…電子機器としての携帯電話、Ｋ，Ｋn…開口部、Ｌ，Ｌn…シリンドリカルレンズとしてのレンズ、Ｐ，Ｐn…画素、Ｖ１…第１画像としての画像、Ｖ２…第２画像としての画像。
【図１】
2010169911.tif 000003
【図２】
2010169911.tif 000004
【図３】
2010169911.tif 000005
【図４】
2010169911.tif 000006
【図５】
2010169911.tif 000007
【図６】
2010169911.tif 000008
【図７】
2010169911.tif 000009
【図８】
2010169911.tif 000010
【図９】
2010169911.tif 000011
【図１０】
2010169911.tif 000012
【図１１】
2010169911.tif 000013
【図１２】
2010169911.tif 000014
【図１３】
2010169911.tif 000015
【図１４】
2010169911.tif 000016